(57)【要約】      （修正有）【課題】改善された伝送特性を有するコネクタ構造の提供。【解決手段】本発明は、コネクタ１２と、コネクタに接続されたケーブル１４とを有し、コネクタとケーブルは、差動信号を伝送するための第１導体および第２導体を有する少なくとも１つの導体対１６をそれぞれ有するコネクタ構造１０に関し、ケーブルは、第１の部分１８を有し、コネクタは、第２の部分２０を有し、ケーブルは、第１の部分のコネクタ側端部でコネクタに締結され、ケーブルの導体対の導体は、第２の部分のケーブル側端部でコネクタの導体に締結され、第１の部分と第２の部分との間に中間部分２２が形成され、導体対は、中間部分、特に第１の部分および／または第２の部分において外部導体２４によって囲まれ、外部導体は、中間部分の少なくとも一部に変形２６を有し、変形は、外部導体と導体との間の距離Ｖおよび／または変形をした領域で導体間の距離Ｗを減少させる。【選択図】図１
2019164997.tif 000002
【特許請求の範囲】
【請求項１】
コネクタと、前記コネクタに接続されたケーブルとを有し、前記コネクタおよび前記ケーブルは、差動信号を伝送するための第１導体および第２の導体を有する少なくとも１つの導体対をそれぞれ有する、コネクタ構造であって、
前記ケーブルは、第１の部分を有し、そして前記コネクタは、第２の部分を有し、前記導体対は電気接点を有し、
前記ケーブルは、前記第１の部分のコネクタ側端部で前記コネクタに締結され、前記ケーブルの前記導体対の導体は、前記第２の部分のケーブル側端部で前記コネクタの導体に締結され、
前記第１の部分と前記第２の部分との間に中間部分が形成され、
前記導体対は、前記中間部分、特に前記第１の部分または前記第２の部分において外部導体によって囲まれ、
前記外部導体は、前記中間部分の少なくとも一部に変形を有し、前記変形は、前記外部導体と前記導体との間の距離または前記変形をした領域で前記導体間の距離のうちの少なくとも１つを減少させる、コネクタ構造。
【請求項２】
前記変形は、前記コネクタ構造のインピーダンスを設置するように構成される
請求項１に記載のコネクタ構造。
【請求項３】
前記変形をした領域において、前記変形は、前記変形をする前または前記変形をした後のうちの少なくとも１つにおいて、基準インピーダンスに対する高インピーダンスを、前記基準インピーダンスに対する低インピーダンスで補償する
請求項２に記載のコネクタ構造。
【請求項４】
前記変形が、磁気成形、圧縮、皺、または折り曲げのうちの少なくとも１つによって形成される
請求項１から３のいずれか一項に記載のコネクタ構造。
【請求項５】
前記変形をした領域において前記外部導体と前記導体との間の距離がゼロである
請求項１から４のいずれか一項に記載のコネクタ構造。
【請求項６】
前記変形をした領域における前記導体間の距離がゼロである
請求項１から４のいずれか一項に記載のコネクタ構造。
【請求項７】
前記変形をした領域における前記外部導体の最小直径が、非変形領域における導体の直径より小さいか、または前記変形をした領域における前記外部導体の最大直径が、非変形領域における導体の２倍より小さいかのうちの少なくとも１つである
請求項５または６に記載のコネクタ構造。
【請求項８】
前記外部導体が、前記変形をした領域の外部において、縦方向間隙を有する
請求項１から７のいずれか一項に記載のコネクタ構造。
【請求項９】
前記変形をした領域の縦方向間隙がより小さくなるか、または閉じられる
請求項１から８のいずれか一項に記載のコネクタ構造。
【請求項１０】
前記変形をした部分以外の領域においてクリンプを有する
請求項１から９のいずれか一項に記載のコネクタ構造。
【請求項１１】
前記変形が、前記外部導体の上側、対向する底側、または前記上側と前記底側との間の側面のうちの少なくとも１つに形成される
請求項１から１０のいずれか一項に記載のコネクタ構造。
【請求項１２】
前記変形がコルゲーションとして形成される
請求項１から１１のいずれか一項に記載のコネクタ構造。
【請求項１３】
前記変形が平面変形として形成される
請求項１から１１のいずれか一項に記載のコネクタ構造。
【請求項１４】
コネクタと前記コネクタに接続されたケーブルとを有するコネクタ構造を提供するステップであって、前記コネクタおよび前記ケーブルは、差動信号を伝送するための少なくとも１つの導体対をそれぞれ有し、前記コネクタは第１の部分を有し、前記コネクタは第２の部分を有し、前記導体対は電気接点を有し、前記ケーブルは、前記第１の部分のコネクタ側端部で前記コネクタに締結され、前記ケーブルの前記導体対の導体は、前記第２の部分のケーブル側端部で前記コネクタの導体に締結され、前記第１の部分と前記第２の部分との間に中間部分が形成され、前記導体対は、前記中間部分、特に前記第１の部分または前記第２の部分のうちの少なくとも１つにおいて外部導体によって囲まれるようにするステップと、
前記中間部分の少なくとも一部において、前記外部導体を変形させるステップと、を有する、コネクタ構造の製造方法。
【発明の詳細な説明】
【技術分野】
【０００１】
本発明は、コネクタとコネクタに接続されたケーブルとを有するコネクタ構造に関する。ケーブルは、相応する差動信号を送信するための少なくとも１つの導体対をガイドする。
【背景技術】
【０００２】
ＤＥ  ２０２０１５０００７５３  Ｕ１は、スリーブ部材を含むコネクタ構造を開示している。この場合、差動信号を伝送するためのコア対はケーブル内で延伸し、ケーブルの内部、コア対のコア間に第１の相互距離を有する。コネクタの方向のシースを有するケーブル部分から、コア対の２つのコアは、それらがコネクタのガイド部分に入るまで中間部分で分岐し、ガイド部分において２つのコアの間には第２の相互距離を有し、第２の相互距離は、第１の相互距離より大きい。
【０００３】
２つのコア間の距離の変化により、その差動インピーダンスが変化し、これは、干渉点の現れをもたらす可能性がある。
【０００４】
これは改善が必要な状態である。
【発明の概要】
【０００５】
この背景に対して、本発明は、改善された伝送特性を有する差動信号を伝送するためのコネクタ構造を提供することを目的とする。
【０００６】
本発明によれば、目的は、請求項１の特徴を有するコネクタ構造および請求項１４の特徴を有する製造方法によって達成される。
【０００７】
従って、本発明は、
コネクタと、コネクタに接続されたケーブルとを有し、コネクタとケーブルは、差動信号を伝送するための第１導体および第２の導体を有する少なくとも１つの導体対をそれぞれ有するコネクタ構造であって、ケーブルは、第１の部分を有し、コネクタは、第２の部分を有し、導体対は電気接点を有し、ケーブルは、第１の部分のコネクタ側端部でコネクタに締結され、ケーブルの導体対の導体は、第２の部分のケーブル側端部でコネクタの導体に締結され、第１の部分と第２の部分との間に中間部分が形成され、導体対は、中間部分、特に第１の部分および／または第２の部分において外部導体によって囲まれ、外部導体は、中間部分の少なくとも一部に変形を有し、変形は、外部導体と導体との間の距離（Ｖ）および／または変形をした領域で導体間の距離（Ｗ）を減少させるコネクタ構造と、
コネクタ構造の製造方法であって、コネクタとコネクタに接続されたケーブルとを有するコネクタ構造を提供するステップであって、コネクタとケーブルは、差動信号を伝送するための少なくとも１つの導体対をそれぞれ有し、ケーブルは第１の部分を有し、コネクタは第２の部分を有し、導体対は電気接点を有し、ケーブルは、第１の部分のコネクタ側端部でコネクタに締結され、ケーブルの導体対の導体は、第２の部分のケーブル側端部でコネクタの導体に締結され、第１の部分と第２の部分との間に中間部分が形成され、導体対は、中間部分、特に第１の部分および／または第２の部分において外部導体によって囲まれるようにするステップと、中間部分の少なくとも一部において、外部導体を変形させるステップと、を有するコネクタ構造用製造方法と、を提供する。
【０００８】
本発明の基本的な思想は、外部導体を変形させることによって、異なる特性に関してコネクタ構造を改善することである。例えば、インピーダンスまたはＥＭＣ互換性などの電気的特性は、変形によって有利に影響を受けることができる。さらに、装着スペースも縮小または変更することができ、そして、コネクタ構造での導体対の保持力を改善することができる。
【０００９】
図面を参照しつつ、従属請求項および詳細な説明から有利な構成および改善が得られる。
【００１０】
本発明の１つの好ましい実施例によれば、変形は、コネクタ構造のインピーダンスを設定するように構成される。インピーダンスは、外部導体と導体対の導体との間の距離、または導体対の導体間の距離を変えることによって設定することができる。
【００１１】
従って、コネクタ構造の中間部分におけるインピーダンスの干渉点の現れを防止するように提供することができる。この場合、中間部分のインピーダンスはコネクタの基準インピーダンスに対応する。基準インピーダンスは、多くの場合、１００オームである。
【００１２】
代替例として、変形をした領域中の低インピーダンスによって、変形の前および／または後に高インピーダンスを補償することが変形にとって有利である。高インピーダンスは、基準インピーダンスより大きく、低インピーダンスは、基準インピーダンスより小さい。
【００１３】
インピーダンスは周波数の複素数関数として与えられる。インピーダンスは、正弦交流電圧に対する正弦交流電圧の振幅と正弦交流電流の振幅との比、および２つの変数間の位相角のシフトを含む。
【００１４】
したがって、変形の最初に過剰に補償されるコネクタ構造のインピーダンス値を規定することができ、これにより、変形前および／または変形後の高インピーダンスと変形をした領域における低インピーダンスが少なくとも部分的に互いに相殺される。
【００１５】
本発明の１つの好ましい改善態様によれば、変形は、磁気成形、圧縮、皺および／または折り曲げによって形成される。特に圧縮は、使用出来る変形として、特に単純なタイプの変形である。
【００１６】
本発明の１つの好ましい改善態様によれば、変形は、変形をした領域における外部導体と導体対の導体との間の距離がなくなるよう形成される。この場合、変形が圧縮によって形成されれば、変形によって外部導体が過剰に押圧されたということができる。
【００１７】
したがって、例えば、コネクタの保持力も高めることができる。
【００１８】
この点に関して、変形をした領域における外部導体の上側又は底側に変形が形成されるときに、外部導体の最小内径が非変形領域の導体の直径と等しい、または直径以下であるときに、有利である。
【００１９】
代替例又は補充例として、変形が外部導体の側面に形成されるときに、外部導体の最大内径が非変形領域中の導体の２倍よりも小さいときに、有利である。
【００２０】
従って、外部導体も過剰に押圧されることが可能である。このようにして、変形をした領域の外部の基準インピーダンスに対する高インピーダンスは、変形をした領域における基準インピーダンスに対する低インピーダンスによって過剰補償することができる。
【００２１】
本発明の１つの好ましい改善形態によれば、外部導体は、変形をした領域の外部で縦方向間隙を有する。縦方向間隙は、外部導体の対向する縦方向縁が互いに接続されていないときに、外部導体でコネクタ構造を巻きつけることによって生じる。
【００２２】
これにより、コネクタの製造コストを低減することができる。
【００２３】
この場合、外部導体がもはや縦方向間隙を有しないように、縦方向間隙が変形によってより小さくなるかまたは完全に閉じられるようにすると特に有利である。これは、変形後の外部導体が変形前よりも小さい外周を有することによって可能になる。したがって、コネクタ構造の電気的特性、特にＥＭＣ特性を改善させることができる。
【００２４】
本発明の１つの好ましい改善形態によれば、コネクタ構造は、変形をした領域の外部においてクリンプを有する。したがって、上述したように、コネクタ構造の変形は、ケーブルの導体と電気接点との間の接続技術としては提供されにくい。したがって、ケーブルの導体と電気接点との間に別途の接続装置を提供することが有利である。
【００２５】
本発明の１つの好ましい改善形態によれば、変形は、外部導体の上側、対向する底側、および／または上側と底側との間の側面に形成される。
【００２６】
上側、底側および側面は、特許出願の図面および関連する説明において画定される。
【００２７】
本発明の１つの好ましい改善形態によれば、変形はコルゲーションとして形成される。コルゲーションは、一連の道具によって、例えば、尖った物体によって変形をした領域を衝撃するような、特に簡単な方式で製造することができる。
【００２８】
代替例又は補充例として、変形は平面変形であってもよい。平面変形は、例えば適切なジョーを有するプライヤーによって、または磁気成形によって形成することができる。
【００２９】
本発明の保護範囲から逸脱しない状況で、上述の特徴および以下に説明される特徴が、それぞれ特定された組み合わせだけでなく、他の組み合わせまたは単独でも使用されることができることは言うまでもない。
【００３０】
上記の構成および改善は、組み合わせが合理的である限り必要に応じて互いに組み合わせることができる。本発明の他の可能な配置、改善及び実施形態は、例示的な実施例に関して上記又は以下の文中に明示されていない本発明の特徴の組み合わせを含む。特に、ここでは、当業者は、本発明の基本形態に対する改良又は補足として各態様を加えることができる。
【図面の簡単な説明】
【００３１】
以下、図面の模式図で詳細に説明される実施例を参照して本発明をさらに詳細に説明する。
【００３２】
【図１】本発明の一実施例の縦断面図を示す。
【００３３】
【００３４】
【００３５】
【００３６】
【図２】本発明の他の実施例の縦断面図を示す。
【００３７】
【図３Ａ】本発明の一実施例の横断面図を示す。
【００３８】
【図３Ｂ】本発明の一実施例の横断面図を示す。
【００３９】
【図３Ｃ】本発明の一実施例の横断面図を示す。
【００４０】
【図３Ｄ】本発明の一実施例の横断面図を示す。
【００４１】
【図３Ｅ】本発明の一実施例の横断面図を示す。
【００４２】
【図３Ｆ】本発明の一実施例の横断面図を示す。
【００４３】
【図３Ｇ】本発明の一実施例の横断面図を示す。
【００４４】
【図３Ｈ】本発明の一実施例の横断面図を示す。
【００４５】
【図３Ｉ】本発明の一実施例の横断面図を示す。
【００４６】
【図３Ｊ】本発明の一実施例の横断面図を示す。
【００４７】
【図４Ａ】本発明の一実施例の横断面図を示す。
【００４８】
【図４Ｂ】本発明の一実施例の横断面図を示す。
【００４９】
【図４Ｃ】本発明の一実施例の横断面図を示す。
【００５０】
【図５】本発明の一実施例の縦断面図を示す。
【００５１】
添付の図面は、本発明の実施例のさらなる理解を与えることを意図している。図面は、実施例を示し、明細書と併せて、本発明の原理及び概念を説明する。図面に結び付けて、他の実施例と、言及された多くの利点とがもたらされる。図面に示された要素の間の互いに対する比率は、必ずしも実際の比率とは限らない。
【００５２】
図面において、同一の要素、機能的に同一な要素、および同一の作用をする要素、特徴及び部品は、別途の記載がない限り、それぞれ同じ参照符号とともに提供される。
【００５３】
以下図面について、一貫し、総合的な説明を行う。
【発明を実施するための形態】
【００５４】
図１の（Ａ）、（Ｂ）、（Ｃ）、（Ｄ）は、コネクタ構造１０の断面模式図をそれぞれ示す。コネクタ構造１０は、コネクタ１２と、コネクタ１２に接続されたケーブル１４とを含む。ケーブル１４およびコネクタ１２は、差動信号を送信するための少なくとも１つの導体対１６をそれぞれ有する。導体対１６は、電気接点対としてコネクタに形成されることができる。ケーブルにおいて、導体対はコア対として形成されることができる。
【００５５】
コネクタ構造１０は、ケーブルにおいて第１の部分１８を有する。なお、コネクタ構造１０は、コネクタ側に第２の部分２０を有する。第１の部分１８と第２の部分２０との間に中間部分２２が形成される。中間部分２２において、導体対１６の導体間の距離は、第１の部分１８におけるコア間のより小さい距離が第２の部分２０における電気接点間のより大きい距離まで増大する。
【００５６】
コネクタ構造１０は、第１の部分１８、第２の部分２０、及び中間部分２２において全部外部導体２４を有する。
【００５７】
中間部分２２における導体対１６の導体間の距離をＷで表示する。中間部分２２における外部導体２４と導体対１６の導体との間の距離をＶで表示する。
【００５８】
図１の（Ａ）は、外部導体２４が中間部分２２の領域で変形される前のコネクタ１０を示す。
【００５９】
図１の（Ｂ）は、変形された外部導体２４を有するコネクタ構造１０を示す。従って、図１の（Ｂ）によるコネクタ構造１０は、中間部分２２に変形２６を有し、変形は、導体対１６の導体と外部導体２４との間の距離を減少させる。変形２６は平面の変形として形成される。
【００６０】
図１の（Ｃ）によるコネクタ構造１０は、中間部分２２に外部導体２４の変形２６を有する。図１の（Ｃ）において、変形２６は、相対的に平坦なコルゲーションとして形成され、外部導体２４と導体対１６との間の距離を減少させる。なお、図１の（Ｃ）の変形２６は、導体対１６の導体間の互いに対する距離をさらに減少させる。
【００６１】
図１の（Ｄ）によるコネクタ構造は、中間部分２２に外部導体２４の変形２６を有する。変形２６は、コルゲーションとして形成される。図１の（Ｄ）中のコルゲーションは、外部導体２４と導体対１６の導体とが部分的に重なるように折り曲げられるため、過度に押圧される。
【００６２】
図２は、本発明の一実施例によるコネクタ構造１０の断面模式図を示す。図２は、平面として設計された他の変形２６を示す。
【００６３】
図３Ａから図３Ｊは、コネクタ構造１０の断面図をそれぞれ示す。図３Ａは、変形を除外した領域におけるコネクタ構造１０の横断面図を示す。したがって、図３Ａは、外部導体２４の変形を示していない。外部導体２４は、上側３０と、対向する底側３２と、上側３０と底側３２との間にそれぞれ形成された２つの側面３４とを有する。異なる辺の長さを有する構造において、本特許出願では、長辺は、それぞれ底側３２および上側３０を形成する。短辺３４は側面を形成する。
【００６４】
図３Ｂから図３Ｊは、それぞれ、変形２６の領域におけるコネクタ構造１０の断面図を示す。
【００６５】
図３Ｂにおいて、変形２６は、外部導体２４の底側３２上にコルゲーション３６として形成される。図３Ｂにおいて、コルゲーション３６は、外部導体２４と導体対の導体１６との導体間の距離Ｖを減少させる。
【００６６】
図３Ｃは、コネクタ構造１０の上側３０および底側３２上の変形を示す。上側３０および底側３２上の変形はそれぞれコルゲーション３６として形成され、そして当該領域では導体対１６の導体と外部導体２４との間の距離Ｖを減少させる。
【００６７】
図３Ｄにおいて、外部導体２４は、絶縁部分１０１の輪郭とほぼ一致するように変形される。したがって、外部導体２４と導体対１６の導体との間の距離は減少される。このような変形は、例えば磁気成形によって生成できる。したがって、図３Ｄの変形は、外部導体２４と導体対１６の導体との間の距離Ｖおよび導体対１６の各導体間の互いに対する距離Ｗを変化させる。
【００６８】
図３Ｅは、外部導体２４の上側３０における平面変形３８を示す。
【００６９】
図３Ｆは、外部導体２４の上側３０およびその底側３２に平面変形３８をそれぞれ有する外部導体を示す。
【００７０】
図３Ｇは、外部導体２４の側面３４における変形を示す。したがって、変形３４は、導体対１６の導体間の距離Ｗおよび外部導体２４と導体対１６の導体との間の距離Ｖを変化させる。
【００７１】
図３Ａから図３Ｇは楕円形の外部導体をそれぞれ示す。しかしながら、言うまでもなく、図３Ｂから図３Ｇによると外部導体２４を変形させる可能性は他の外部導体形状にも関連する。
【００７２】
一例を挙げると、他の外部導体形状は図３Ｈ〜図３Ｊに示されている。図３Ｈ〜図３Ｊは、非変形領域におけるコネクタ構造１０の横断面Ａと、変形をした領域におけるコネクタ構造１０の横断面Ｂとをそれぞれ示す。
【００７３】
図３Ｈは、断面Ａにおいて、非変形領域にある円形の外部導体２４を示す。図３Ｈの横断面Ｂにおいて、変形をした領域にあるコネクタ構造１０を示す。変形は横方向の変形として形成され、そして導体対１６の導体間の互いに対する距離Ｗ、および導体対１６の導体と外部導体２４との間の距離Ｖを減少させる。
【００７４】
図３Ｉの横断面Ａは、円形の外部導体２４を有するコネクタ構造１０を示す。図３Ｉの横断面Ｂにおいて、外部導体２４は、楕円形状を形成するように変形されている。したがって、図３Ｉの変形２６は、外部導体２４と導体対１６の導体との間の距離Ｖを変化させる。
【００７５】
図３Ｊは、横断面Ａにおいて、四角形の外部導体２４を有するコネクタ構造１０を示す。図３Ｊの横断面Ｂにおいて、外部導体２４の上側３０および底側３２に変形３８を有する。
【００７６】
図４Ａは、非変形領域における、または変形前のコネクタ構造１０の横断面図を示す。図４Ａのコネクタ構造１０は、コネクタ構造１０の絶縁部分１０１に巻かれた外部導体２４を有する。したがって、図４Ａ中の外部導体２４は、２つの対向する縦方向縁１０３および１０４を有する。縦方向間隙２８は、対向する縦方向縁１０３と１０４との間に位置する。
【００７７】
図４Ｂおよび図４Ｃは、図４Ａによる縦方向間隙２８が変形２６によって閉鎖された後のコネクタ構造１０の変形した領域における断面図を示す。
【００７８】
図４Ｂおよび図４Ｃにおいて、導体対１６の導体と外部導体２４との間の距離Ｖがそれぞれの場合において減少されるため、縦方向間隙２８は、それぞれ閉じられている。
【００７９】
図４Ｂにおいて、変形は平面変形３８として形成される。
【００８０】
図４Ｃにおいて、変形はコルゲーション３６として形成される。
【００８１】
図４Ｂおよび図４Ｃにおいて、外部導体２４は、その対向する縁１０３および１０４が互いに重なるか、または互いに接触するまで、変形されている。接続技術（例えば接合技術により、特に溶接）を用いて、対向する縁１０３および１０４を互いに締結するようにしてもよい。
【００８２】
図５は、変形前のコネクタ構造の外部導体２４のさらなる模式図５のＡおよび縦方向間隙２８が変形によって閉じられた後のコネクタ構造の外部導体２４のさらなる図５のＢを示す。
【００８３】
縦方向間隙２８が、外部導体２４の対向する縦方向縁１０３と１０４との間の中間部分２２に形成されていることが図５のＡで分かる。縦方向間隙２８は中間部分２２だけで延びる。
【００８４】
図５のＢは、外部導体２４を示し、外部導体２４の対向する縦方向縁１０３と１０４との間の間隙２８が重なるように外部導体２４の中間部分２２が変形される。
【００８５】
本発明は、例示された実施例、修正例、およびサブ変形例に限定されない。本発明は、個々の請求項においてそれぞれ請求される特徴の組み合わせを包含し、このような特徴は技術的に実用的である限り明細書においてそれぞれ開示され、図面にそれぞれ示される。
【００８６】
本発明を好ましい例示的な実施例に基づいて本発明を十分に説明したが、本発明はそれらに限定されず、多様な方法で修正可能である。
【符号の説明】
【００８７】
１０  コネクタ構造
１２  コネクタ
１４  ケーブル
１６  導体対
１８  第１の部分
２０  第２の部分
２２  中間部分
２４  外部導体
２６  変形
２８  縦方向間隙
３０  上側
３２  底側
３４  側面
３６  コルゲーション
３８  変形
１０３と１０４  対向する縦方向の縁
Ｖ  外部導体と導体との間の距離
Ｗ  変形をした領域における導体間の距離
【図１】
2019164997.tif 000003
【図２】
2019164997.tif 000004
【図３Ａ】
2019164997.tif 000005
【図３Ｂ】
2019164997.tif 000006
【図３Ｃ】
2019164997.tif 000007
【図３Ｄ】
2019164997.tif 000008
【図３Ｅ】
2019164997.tif 000009
【図３Ｆ】
2019164997.tif 000010
【図３Ｇ】
2019164997.tif 000011
【図３Ｈ】
2019164997.tif 000012
【図３Ｉ】
2019164997.tif 000013
【図３Ｊ】
2019164997.tif 000014
【図４Ａ】
2019164997.tif 000015
【図４Ｂ】
2019164997.tif 000016
【図４Ｃ】
2019164997.tif 000017
【図５】
2019164997.tif 000018
【外国語明細書】
2019164997000001.pdf